(57)【要約】【課題】片出し形式のヘッドホンにおいて、左右の音質を均等とする。【解決手段】右および左ドライバユニット１２、２２は、右および左チャンネルの音声を出力するとともに右および左ハウジング１１、２１に各々装着し、入力部５０は、右および左ハウジング１１、２１のいずれかより音声を入力し、入力部より前記右ドライバユニットに接続される右チャンネルコードと、入力部より左ドライバユニットに接続される左チャンネルコードとを同一長とする。【選択図】図１
2011040969.tif 000002
【特許請求の範囲】
【請求項１】
右および左チャンネルの音声を各々出力する右および左ドライバユニットと、
前記右および左ドライバユニットが各々装着される右および左ハウジングと、
前記右および左ハウジング間を連結する連結部と、
前記右および左ハウジングのいずれかより右および左チャンネルの音声を入力する入力部と、
前記入力部より前記右ドライバユニットに接続される右チャンネルコードと、
前記入力部より前記左ドライバユニットに接続され、前記右チャンネルコードと同一長である左チャンネルコードと、
を備えることを特徴とするヘッドホン。
【請求項２】
前記右チャンネルコードおよび左チャンネルコードのうち、前記入力部を有する左右いずれかのハウジングに装着されるドライバユニットに接続される方のコードを、前記連結部内に格納することによって、前記右チャンネルコードおよび前記左チャンネルコードを同一長とすることを特徴とする、請求項１に記載のヘッドホン。
【請求項３】
前記右チャンネルコードおよび左チャンネルコードのうち、前記入力部を有する左右いずれかのハウジングに装着されるドライバユニットに接続される方のコードを、前記ハウジング内に格納することによって、前記右チャンネルコードおよび前記左チャンネルコードを同一長とすることを特徴とする、請求項１に記載のヘッドホン。
【請求項４】
前記入力部を、前記左ハウジングおよび右ハウジングの双方に選択可能に設けたことを特徴とする、請求項１から３のいずれか１項に記載のヘッドホン。
【発明の詳細な説明】
【技術分野】
【０００１】
本発明は、ヘッドホンに係り、特に高音質な再生音を得られるヘッドホンに関する。
【背景技術】
【０００２】
近年、高音質のヘッドホンの普及により、ドライバユニットやハウジング形状など高音質化のために各種改良がなされている。これらヘッドホンは、左右のドライバユニットまで音声信号を伝搬するために、オーディオ再生装置に接続されるステレオプラグから左右各ドライバユニットまでコードを接続する必要がある。この接続には、ステレオプラグから延出したステレオコードの途中で右チャンネル用のコード及び左チャンネル用のコードとが分岐して左右各々のハウジングに装着された左右各々のドライバユニットに接続されているＹ型と、ステレオコードが左右のいずれか一方のハウジングに接続され、他方チャンネルのコードをヘッドアームを通して他方チャンネルのハウジングに装着された他方チャンネルのドライバユニットに接続される片出し方式とがある。
【０００３】
従来の片出し方式のヘッドホンを、図４により説明する。ヘッドホン１００は
右ヘッドホンユニット１１０、左ヘッドホンユニット１２０、右ヘッドホンユニット１１０と左ヘッドホンユニット１２０とをユーザの頭部に把持するアーム部１３０、図示しないオーディオ装置に図示しないステレオプラグ等により接続するステレオコード１４０とからなる。
【０００４】
右ヘッドホンユニット１１０は、右ハウジング１１１および右イヤーパッド１１３を備え、右ヘッドホンユニット１１０内にはステレオコード１４０から延出している右チャンネル信号を伝える右チャンネルコード１１４に接続された右ドライバユニット１１２が装着されている。同様に左ヘッドホンユニット１２０は、左ハウジング１２１および左イヤーパッド１２３を備え、左ヘッドホンユニット１２０内にはステレオコード１４０から延出している左チャンネル信号を伝える左チャンネルコード１２４に接続された左ドライバユニット１２２が装着されている。
【０００５】
ステレオコード１４０は、右ハウジング１１１および左ハウジング１２１のいずれかに有する入力部１５０を介してヘッドホン１００に接続される。このためにステレオコード１４０は、右ハウジング１１１および左ハウジング１２１にの何れかに接続される片出し方式であるため、ステレオコード１４０から左右各ドライバユニットまでの距離は異なり、右チャンネルコード１１４と左チャンネルコード１２４との長さは大きく異なる。
【先行技術文献】
【特許文献】
【０００６】
【特許文献１】特開２００５−２９５４６１号公報
【発明の概要】
【発明が解決しようとする課題】
【０００７】
ヘッドホンやスピーカなど２チャンネル以上の音声を出力する装置においては、左右チャンネルの信号伝搬路長が等しいことが音質向上につながることは一般的に知られており、Ｙ型のヘッドホンは左右チャンネルのコード長が等長であるが、左右のヘッドホンユニットにコードが接続されているために、携帯性やユーザの使い勝手がよくなかった。さらには図４に示すように片出し形式である場合は、左右のコードが等長ではないため、音質のバランスが左右チャンネルにおいて均等とはならないこともある。特に、ドライバユニット径が大きくハウジング容量や密閉性に優れるために高音質が求められるオーバーヘッド型ヘッドホンにおいて上記の問題点は顕著である。
【０００８】
本発明はこのような問題点に鑑みなされたものであり、片出し形式のヘッドホンであってもユーザの使い勝手を犠牲にすることなく、左右の音質を均等としたヘッドホンを提供することを目的とする。
【課題を解決するための手段】
【０００９】
上記目的を達成するために、第１の発明に係るヘッドホンは、右および左チャンネルの音声を各々出力する右および左ドライバユニットと、前記右および左ドライバユニットが各々装着される右および左ハウジングと、前記右および左ハウジング間を連結する連結部と、前記右および左ハウジングのいずれかより右および左チャンネルの音声を入力する入力部と、前記入力部より前記右ドライバユニットに接続される右チャンネルコードと、前記入力部より前記左ドライバユニットに接続され、前記右チャンネルコードと同一長である左チャンネルコードと、
を備えることを特徴とする。
【００１０】
第２の発明に係るヘッドホンは、第１の発明において、前記右チャンネルコードおよび左チャンネルコードのうち、前記入力部を有する左右いずれかのハウジングに装着されるドライバユニットに接続される方のコードを、前記連結部内に格納することによって、前記右チャンネルコードおよび前記左チャンネルコードを同一長とすることを特徴とする。
【００１１】
第３の発明に係るヘッドホンは、第１の発明において、前記右チャンネルコードおよび左チャンネルコードのうち、前記入力部を有する左右いずれかのハウジングに装着されるドライバユニットに接続される方のコードを、前記ハウジング内に格納することによって、前記右チャンネルコードおよび前記左チャンネルコードを同一長とすることを特徴とする。
【００１２】
第４の発明に係るヘッドホンは、第１から第３の発明のいずれか１項に記載の発明において、前記入力部を、前記左ハウジングおよび右ハウジングの双方に選択可能に設けたことを特徴とする。
【発明の効果】
【００１３】
本発明のヘッドホンは、片出し形式のヘッドホンであってもユーザの使い勝手を犠牲にすることなく、左右の音質を均等とすることができる。
【図面の簡単な説明】
【００１４】
【図１】本発明における第１の実施形態に係るヘッドホンの模式図である。
【図２】本発明における第１の実施形態に係るハウジング内部を表した模式図である。
【図３】本発明における第２の実施形態に係るヘッドホンの模式図である。
【図４】従来のヘッドホンの模式図である。
【発明を実施するための形態】
【００１５】
以下、本発明のヘッドホンにおける第１の実施形態について、図１を参照して説明する。ヘッドホン1は、右ヘッドホンユニット１０、左ヘッドホンユニット２０、右ヘッドホンユニット１０と左ヘッドホンユニット２０とをユーザの頭部に把持するアーム部３０、右ヘッドホンユニットおよび左ヘッドホンユニットのいずれかの入力部５０に接続され、図示しないオーディオ装置からの音声信号をヘッドホン１に入力するステレオコード４０とからなる。
【００１６】
ステレオコード４０は、右チャンネル用の信号線と接地線（以下、右チャンネルコード１４）および左チャンネル用の信号線と接地線（以下、左チャンネルコード２４）とを有しているが、図面においては便宜上１本の線で表す。
【００１７】
右ヘッドホンユニット１０は、右ハウジング１１および右イヤーパッド１３を備え、右ハウジング１１内にはステレオコード４０からの右チャンネル信号を伝える右チャンネルコード１４に接続された右ドライバユニット１２が装着されている。同様に左ヘッドホンユニット２０は、左ハウジング２１および左イヤーパッド２３を備え、左ハウジング２１内にはステレオコード４０からの左チャンネル信号を伝える左チャンネルコード２４に接続された左ドライバユニット２２が装着されている。
【００１８】
図１に示すように、ステレオコード４０は、左ヘッドホンユニット２０における左ハウジング２１に設けられた入力部５０より入力される片出し方式であるが、左チャンネルコード２４はアーム部３０内に格納することにより右チャンネルコード１４と同一の長さを保ちながら左ドライバユニット２２に接続されている。
【００１９】
このような構造により、ヘッドホン1は片出し形式でありながら、右チャンネルコード１４と左チャンネルコード２４とが等長となることにより、使い勝手の良さを通常の片出し形式のヘッドホンと同一としながら、左右チャンネルの音質を均等化することができる。
【００２０】
第１の実施形態においては、ステレオコード４０は左ハウジング２１に接続されているが、右ハウジング１１に接続されてもよい。その際は、右チャンネルコード１４はアーム部３０内に格納されて右ドライバユニット１２に接続する。
【００２１】
また、第１の実施形態においては、左チャンネルコード２４を右チャンネルコード１４と等長となるよう、左チャンネルコード２４をアーム部３０の内部に格納したが、これに限らず例えば図２に示すように、左ハウジング２１内に格納することにより左チャンネルコード２４の長さを右チャンネルコード１４と等長としてもよい。
【００２２】
次に、本発明のヘッドホンにおける第２の実施形態について、図３を参照して説明する。片出し形式のヘッドホンにおいては、ユーザの好みに合わせて左右いずれかによる片出しを選択できるものもある。図３におけるヘッドホンは、ステレオコード４０に左右のいずれのハウジングにも接続可能なように、ステレオプラグ４１が接続され、右ハウジング１１には入力部としての右ステレオジャック１６が、左ハウジング２１にも入力部としての左ステレオジャック２６が各々装着されている。
【００２３】
このため、右ステレオジャック１６および左ステレオジャック２６のいずれにステレオプラグ４１が接続されても、ステレオコード４０における右チャンネル信号を伝える信号線は右ドライバユニット１２に接続され、左チャンネル信号を伝える信号線は左ドライバユニット２２に接続されるように配線されている。
【００２４】
右ステレオジャック１６には、アーム部３０内部を通して左ドライバユニット２２に接続された第２の左チャンネルコード２４２および右ハウジング１１内またはアーム部３０内により第２の左チャンネルコード２４２と同長として右ドライバユニット１２に接続された第１の右チャンネルコード１４１とが接続されている。
【００２５】
左ステレオジャック２６にも同様に、アーム部３０内部を通して右ドライバユニット１２に接続された第２の右チャンネルコード１４２および左ハウジング２１内またはアーム部３０内により第２の右チャンネルコード１４２と同長として左ドライバユニット２２に接続された第１の左チャンネルコード２４１とが接続されている。
【００２６】
このような構成において、右ステレオジャック１６にステレオプラグ４１が接続された場合、ステレオコード４０からの右チャンネル信号は、第１の右チャンネルコード１４１により右ドライバユニット１２に接続され、左チャンネル信号は、第２の左チャンネルコード２４２により左ドライバユニット２２に接続される。同様に左ステレオジャック２７にステレオプラグ４１が接続された場合、ステレオコード４０からの右チャンネル信号は、第２の右チャンネルコード１４２より右ドライバユニット１２に接続され、左チャンネル信号は、第１の左チャンネルコード１４２により左ドライバユニット２２に接続される。
【００２７】
このように、本発明の第２の実施形態によるヘッドホンは、左右ハウジングのいずれのステレオジャックにステレオプラグが接続されても、右チャンネルコード１４と左チャンネルコード２４とが等長となることにより、使い勝手の良さを通常の片出し形式のヘッドホンと同一とし、左右いずれからの片出しも可能としながら、左右チャンネルの音質を均等とすることができる。
【００２８】
さらに、図２および図３に示すように、左右いずれかのハウジング内にコードを格納することにより、左チャンネルコードと右チャンネルコードとを等長とする場合に、ハウジング内に図３に示すように隔壁（右隔壁１７および左隔壁２７）を設けることにより、左右双方のハウジング１１、２１においてドライバユニット１２、２２を装着する区画とコード１４１、２４１を収納する区画とを別個の区画としてもよい。これにより、格納されているコード１４１、２４１の共振や体積による左右の音質の変化を無くすことができ、左右チャンネルの音質を均等とすることができる。
【００２９】
以上、本発明の第１の実施形態および第２の実施形態について説明したが、本発明はその主旨を逸脱しない限りこれに限定されるものではない。ヘッドホン１は、右ヘッドホンユニット１０と左ヘッドホンユニット２０とをアーム部３０により接続したオーバーヘッドタイプのヘッドホンについて説明したが、右ヘッドホンユニット１０と左ヘッドホンユニット２０とをコードで接続して片出し形式を有する耳掛け式のヘッドホンや、インナーイヤー式のヘッドホンであってもよい。
【符号の説明】
【００３０】
１：ヘッドホン、１０：右ヘッドホンユニット、１１：右ハウジング、１２：右ドライバユニット、１３：右イヤーパッド、１４：右チャンネルコード、２０：左ヘッドホンユニット、２１：左ハウジング、２２：左ドライバユニット、２３：左イヤーパッド、２４：左チャンネルコード、３０：アーム部（連結部）、４０：ステレオコード、５０：入力部
【図１】
2011040969.tif 000003
【図２】
2011040969.tif 000004
【図３】
2011040969.tif 000005
【図４】
2011040969.tif 000006